(57)【特許請求の範囲】
【請求項１】
少なくとも１つのプロセッサと、コンピュータプログラムコードを含む少なくとも１つのメモリとを備え、その少なくとも１つのメモリ及びコンピュータプログラムコードは、少なくとも１つのプロセッサと共に、ネットワークエレメントから、前記ネットワークエレメントによって割り当てられたダウンリンク指定をダウンリンクコントロールチャンネルで受信し、
規定のルールに従って単一のアップリンクコントロールリソースのインデックスを前記ダウンリンク指定から決定し、前記規定のルールは、物理的ダウンリンクリソースに関連したインデックスと、前記単一のアップリンクコントロールリソースへマップされるべきダウンリンクリソースの量と、を考慮するものであり、
前記ネットワークエレメントに、前記ダウンリンク指定に関連するコントロールメッセージを前記決定されたアップリンクコントロールリソースで送信する、ように構成される装置。
【請求項２】
物理的ダウンリンクリソースブロックの最も低いインデックスを考慮する、請求項１に記載の装置。
【請求項３】
前記物理的ダウンリンクリソースに関連したインデックスは、改善型コントロールチャンネルエレメント、改善型物理的ダウンリンクコントロールチャンネル、及び改善型物理的ダウンリンクコントロールチャンネルによりスケジュールされた物理的ダウンリンク共有チャンネル、のうちの少なくとも１つのインデックスを含む、請求項１又は２に記載の装置。
【請求項４】
前記アップリンクコントロールリソースのインデックスを決定するのにオフセットを使用するように構成された、請求項１から３のいずれかに記載の装置。
【請求項５】
アンテナポートインジケータ及びスクランブルアイデンティティの少なくとも一方を使用して、前記オフセットを定義するように構成された、請求項４に記載の装置。
【請求項６】
オフセットパラメータをダウンリンクにシグナリングするように構成された請求項４又は５に記載の装置。
【請求項７】
少なくとも２つの物理的アップリンクコントロールチャンネル（ＰＵＣＣＨ）フォーマット１／１ａ／１ｂリソース間を動的にスイッチングするのにオフセットを使用するように構成された請求項４から６のいずれかに記載の装置。
【請求項８】
前記ダウンリンクリソースの量は、物理的アップリンクコントロールチャンネルリソースへマップされるダウンリンク物理的リソースブロックの数を表わす、請求項１から７のいずれかに記載の装置。
【請求項９】
前記ダウンリンクリソースの量の指示を、構成可能なパラメータに基づいて処理するように構成された、請求項１から８のいずれかに記載の装置。
【請求項１０】
前記ダウンリンクリソースの量に関する情報を、ユーザ装置特有の又はセル特有の仕方でシグナリングするように構成された、請求項１から９のいずれかに記載の装置。
【請求項１１】
前記ダウンリンクリソースは、物理的ダウンリンク共有チャンネルを含み、前記装置は、前記物理的ダウンリンク共有チャンネルのスケジューリング情報を、改善型物理的ダウンリンクコントロールチャンネルにより通信し、そして前記物理的ダウンリンク共有チャンネルに関連した物理的アップリンクコントロールチャンネルのインデックスを決定するように構成される、請求項１から１０のいずれかに記載の装置。
【請求項１２】
自動リピート要求メッセージのシグナリングのための少なくとも１つのインデックスを決定するように構成された、請求項１から１１のいずれかに記載の装置。
【請求項１３】
前記アップリンクコントロールリソースの最終インデックスを、物理的ダウンリンクリソースに関連したインデックスと、前記アップリンクコントロールリソースへマップされるべきダウンリンクリソースの量とに基づいて決定されたインデックスに少なくとも１つの更に別の動作を適用することにより定義するように構成された、請求項１から１２のいずれかに記載の装置。
【請求項１４】
請求項１から１３のいずれかに記載の装置を備えたベースステーション装置又はユーザ装置。
【請求項１５】
ネットワークエレメントから、前記ネットワークエレメントによって割り当てられたダウンリンク指定をダウンリンクコントロールチャンネルで受信し、
規定のルールに従って単一のアップリンクコントロールリソースのインデックスを前記ダウンリンク指定から決定し、前記規定のルールは、物理的ダウンリンクリソースに関連したインデックスと、前記単一のアップリンクコントロールリソースへマップされるべきダウンリンクリソースの量と、を考慮するものであり、
前記ネットワークエレメントに、前記ダウンリンク指定に関連するコントロールメッセージを前記決定されたアップリンクコントロールリソースで送信する、ことを含む方法。
【請求項１６】
最も低い物理的ダウンリンクリソースブロックのインデックスを考慮する、請求項１５に記載の方法。
【請求項１７】
前記物理的ダウンリンクリソースに関連したインデックスは、改善型コントロールチャンネルエレメント、改善型物理的ダウンリンクコントロールチャンネル、及び改善型物理的ダウンリンクコントロールチャンネルによりスケジュールされた物理的ダウンリンク共有チャンネル、のうちの少なくとも１つのインデックスを含む、請求項１５又は１６に記載の方法。
【請求項１８】
前記アップリンクコントロールリソースのインデックスを決定するのにオフセットを適用することを更に含む、請求項１５から１７のいずれかに記載の方法。
【請求項１９】
少なくとも２つのＰＵＣＣＨフォーマット１／１ａ／１ｂリソース間を前記オフセットにより動的にスイッチングすることを含む、請求項１８に記載の方法。
【請求項２０】
前記ダウンリンクリソースの量は、物理的アップリンクコントロールチャンネルリソースへマップされるダウンリンク物理的リソースブロックの数を表わす、請求項１５から１９のいずれかに記載の方法。
【請求項２１】
前記ダウンリンクリソースの量をパラメータにより構成することを含む、請求項１５から２０のいずれかに記載の方法。
【請求項２２】
前記ダウンリンクリソースは、物理的ダウンリンク共有チャンネルを含み、更に、前記物理的ダウンリンク共有チャンネルのスケジューリング情報を、改善型物理的ダウンリンクコントロールチャンネルによりシグナリングし、前記物理的ダウンリンク共有チャンネルに関連した物理的アップリンクコントロールチャンネルのインデックスを決定することを含む、請求項１５から２１のいずれかに記載の方法。
【請求項２３】
自動リピート要求メッセージのシグナリングのための少なくとも１つのインデックスを決定するように構成された、請求項１５から２２のいずれかに記載方法。
【請求項２４】
プログラムがプロセッサ装置で実行されるときに請求項１５から２３のいずれかに記載の段階を遂行するようにされたコード手段を含むコンピュータプログラム。
【発明の詳細な説明】
【技術分野】
【０００１】
本発明は、通信のためのリソースの割り当てに関するもので、より特定すれば、これに限定されないが、ワイヤレス通信のためのアップリンクコントロール信号のリソースの割り当てに関する。
【背景技術】
【０００２】
通信システムは、固定又は移動装置、マシンタイプのターミナル、ベースステーションのようなアクセスノード、サーバー、等の２つ以上のノード間で通信セッションを可能にするファシリティと考えられる。通信システム及び互換性のある通信エンティティは、典型的に、システムに関連した種々のエンティティが何を行うことが許され及びそれをどのように達成すべきか規定する所与の規格又は仕様書に基づいて動作する。例えば、規格、仕様書及び関連プロトコルは、装置がどのように通信すべきか、種々の通信態様をどのように実施すべきか、及びシステムに使用する装置をどのように構成すべきか規定するものである。
【０００３】
ユーザは、適当な通信装置により通信システムにアクセスすることができる。ユーザの通信装置は、しばしば、ユーザ装置（ＵＥ）又はターミナルと称される。通信装置には、他の当事者との通信を可能にする適当な信号受信及び送信構成体が設けられる。典型的に、ユーザ装置のような装置は、スピーチ及びコンテンツデータのような通信を受信及び送信できるようにするために使用される。
【０００４】
通信は、ワイヤレスキャリアで搬送される。ワイヤレスシステムは、例えば、セルラーネットワークのような公衆地上移動ネットワーク（ＰＬＭＮ）、衛星ベースの通信システム及び異なるワイヤレスローカルネットワーク、例えば、ワイヤレスローカルエリアネットワーク（ＷＬＡＮ）を含む。ワイヤレスシステムでは、通信装置は、例えば、アクセスネットワークのベースステーションのような別の通信装置及び／又は他のユーザ装置と通信できるトランシーバステーションをなす。ベースステーションとユーザの通信装置との間の２つの通信方向は、慣習的に、ダウンリンク及びアップリンクと称されている。ダウンリンク（ＤＬ）は、ベースステーションからの方向、そしてアップリンク（ＵＬ）は、ベースステーションへの方向と理解される。
【０００５】
当事者間に種々のコントロール情報をシグナリングする必要がある。コントロール情報は、典型的に、コントロールチャンネル、例えば、物理的アップリンクコントロールチャンネル（ＰＵＣＣＨ）又は物理的ダウンリンクコントロールチャンネル（ＰＤＣＣＨ）を経て通信される。例えば、リソースに関連した情報をステーション間にシグナリングする必要がある。ダウンリンク及びアップリンクに対するリソースの割り当ては、独立して取り扱われる。ユーザ装置（ＵＥ）へ送られるアップリンク（ＵＬ）指定又は許可は、データを送信するためにＵＥが使用すべきリソースをユーザ装置に通知するのに使用される。ダウンリンクにおいて何かが予想されるときの情報も、ベースステーションから通信される。許可により、リソースの動的な割り当てを与えることができる。他のタイプのコントロール情報のシグナリングも必要である。例えば、ユーザ装置は、アップリンクを経てフィードバック情報をシグナリングすることも必要である。フィードバック情報は、エラー検出及び／又は修正のために与えることができる。受信者が首尾良く受信しなかった情報を再送信する要求も考えられる。例えば、ハイブリッド自動リピート要求（ＨＡＲＱ）エラーコントロールメカニズムがこの目的のために使用される。このエラーコントロールメカニズムは、送信側装置が、肯定又は否定確認（ＡＣＫ／ＮＡＣＫ；Ａ／Ｎ）か又はその送信に関する他の指示を受信側装置から受信しなければならないように実施される。
【０００６】
種々のシナリオ及び異なるデータトラフィックタイプのための進歩型システムの利用増加に伴い、大勢のユーザに対してシステムを更に最適化する必要性が高まった。これを達成する方法は、スケジューリング効率を改善することである。特に、スケジューリングオーバーヘッドを下げることが望まれる。ある用途では、アップリンク及びダウンリンクスケジューリングにより生じるダウンリンクコントロールシグナリングオーバーヘッドを下げることが望ましい。物理的ダウンリンクコントロールチャンネル（ＰＤＣＣＨ）におけるシグナリングの最適化は、特に効果的である。例えば、ＰＤＳＣＨ  ＡＣＫ／ＮＡＣＫのための現在のＰＵＣＣＨリソース割り当ては、最も低いＰＤＣＣＨコントロールチャンネルエレメント（ＣＣＥ）のインデックスがＰＵＣＣＨリソースのインデックスを直接決定する暗示的マッピングに基づく。そのような「１対１」マッピングは、多数のアクティブなＵＥに対して比較的効率的なリソース割り当てスキームを与える。というのは、それらの各々に対し専用のＡＣＫ／ＮＡＣＫチャンネルを必要としないからである。むしろ、チャンネルは、ダウンリンクＣＣＥの数と同じサイズをもつ共通のリソーススペースを共有することができる。しかしながら、異なるユーザのマルチプレクシングが増加すると、考えられるダウンリンクコントロールチャンネルの数も増加する。特に、異なるテクノロジー、例えば、コード分割マルチプレクシング（ＣＤＭ）及び周波数分割マルチプレクシング（ＦＤＭ）が使用される場合には、考えられるダウンリンクコントロールチャンネルの候補の数が増加する。これは、改善型物理的ダウンリンクコントロールチャンネル（ｅＰＤＣＣＨ）では、特にそうである。更に、マルチユーザマルチ入力マルチ出力（ＭＵ−ＭＩＭＯ）スケジューリングのような技術は、ｅＰＤＣＣＨに対して可能であり、これは、ひいては、セルにおける考えられるｅＰＤＣＣＨ候補の数を、おそらく数百まで増加し得る。そのような状況において、考えられる全てのｅＰＤＣＣＨ候補の１対１のインデックスは、過剰な数のＡＣＫ／ＮＡＣＫチャンネル、ひいては、アップリンクオーバーヘッドを容易に招くことになる。それ故、ｅＰＤＣＣＨスケジューリングの場合に、衝突を回避できるような、アップリンクコントロールリソース割り当て、例えば、ＰＵＣＣＨ  ＡＣＫ／ＮＡＣＫリソース割り当てのためのより効率的なインデックスシステムが要望される。
【発明の概要】
【発明が解決しようとする課題】
【０００７】
以上に述べた問題は、特定の通信環境及びステーション装置に限定されず、内部通信が要求される適当なステーション装置でも発生することに注意されたい。
【０００８】
本発明の実施形態は、以上の問題の１つ又は幾つかに対処することに向けられる。
【課題を解決するための手段】
【０００９】
一実施形態によれば、ワイヤレス通信のためのリソースを割り当てる装置において、少なくとも１つのプロセッサと、コンピュータプログラムコードを含む少なくとも１つのメモリとを備え、その少なくとも１つのメモリ及びコンピュータプログラムコードは、少なくとも１つのプロセッサと共に、規定のルールに従ってアップリンクコントロールリソースのインデックスを決定するように構成され、その決定は、物理的ダウンリンクリソースに関連したインデックスと、アップリンクコントロールリソースへマップされるべきダウンリンクリソースの量と、を考慮するものである装置が提供される。
【００１０】
別の態様によれば、ワイヤレス通信のためのリソースを割り当てる方法において、規定のルールに従ってアップリンクコントロールリソースのインデックスを決定することを含み、その決定は、物理的ダウンリンクリソースに関連したインデックスと、アップリンクコントロールリソースへマップされるべきダウンリンクリソースの量と、を考慮するものである方法が提供される。
【００１１】
より詳細な態様によれば、物理的ダウンリンクリソースブロックの最も低いインデックスが考慮される。
【００１２】
物理的ダウンリンクリソースに関連したインデックスは、改善型コントロールチャンネルエレメントのインデックス、改善型物理的ダウンリンクコントロールチャンネルのインデックス、及び改善型物理的ダウンリンクコントロールチャンネルによりスケジュールされた物理的ダウンリンク共有チャンネルのインデックスのうちの少なくとも１つを含む。
【００１３】
アップリンクコントロールリソースのインデックスを決定するのにオフセットが使用される。アンテナポートインジケータ及びスクランブルアイデンティティの少なくとも一方を使用して、オフセットを定義する。オフセットパラメータがダウンリンクにシグナリングされる。少なくとも２つの物理的アップリンクコントロールチャンネル（ＰＵＣＣＨ）フォーマット１／１ａ／１ｂリソース間を動的にスイッチングするのにオフセットが使用される。
【００１４】
ダウンリンクリソースの量は、物理的アップリンクコントロールチャンネルリソースへマップされるダウンリンク物理的リソースブロックの数を表わす。
【００１５】
ダウンリンクリソースの量の指示は、構成可能なパラメータに基づいて処理される。ダウンリンクリソースの量に関する情報は、ユーザ装置特有の又はセル特有の仕方でシグナリングされる。
【００１６】
ダウンリンクリソースは、物理的ダウンリンク共有チャンネルを含む。物理的ダウンリンク共有チャンネルのスケジューリング情報は、改善型物理的ダウンリンクコントロールチャンネルにより通信される。物理的ダウンリンク共有チャンネルに関連した物理的アップリンクコントロールチャンネルのインデックスが決定される。自動リピート要求メッセージのシグナリングのための少なくとも１つのインデックスが決定される。
【００１７】
アップリンクコントロールリソースの最終インデックスは、物理的ダウンリンクリソースに関連したインデックスと、アップリンクコントロールリソースへマップされるべきダウンリンクリソースの量とに基づいて決定されたインデックスに少なくとも１つの更に別の動作を適用することにより定義される。
【００１８】
マシンタイプターミナルのユーザの通信装置又はベースステーションのようなノードは、種々の実施形態に基づいて動作するように構成される。
【００１９】
前記方法を遂行するためのプログラムコード手段を含むコンピュータプログラムも提供される。そのコンピュータプログラムは、キャリア媒体に記憶され及び／又はそれにより実施される。
【００２０】
いずれかの態様の特徴を、他の態様の他の特徴と組み合わせてもよいことが明らかである。以下、添付図面を参照して、本発明の実施形態を一例として詳細に説明する。
【図面の簡単な説明】
【００２１】
【図１】ベースステーション及び複数の通信装置を備えた通信システムの概略図である。
【図２】ある実施形態による移動通信装置の概略図である。
【図３】ある実施形態によるコントロール装置の概略図である。
【図４】ある実施形態によるフローチャートである。
【図５】ある実施形態によるフローチャートである。
【図６】特定例のパラメータに関するテーブルを示す。
【図７】特定例のパラメータに関するテーブルを示す。
【図８】特定例のパラメータに関するテーブルを示す。
【発明を実施するための形態】
【００２２】
以下、移動通信装置にサービスするワイヤレス又は移動通信システムを参照して、幾つかの規範的な実施形態を説明する。規範的な実施形態を詳細に説明する前に、ここに述べる例の基礎となるテクノロジーを理解する上で助けとなるように、図１ないし３を参照して、ワイヤレス通信システム、そのアクセスシステム、及び移動通信装置の幾つかの一般的な原理を簡単に述べる。
【００２３】
ワイヤレス通信システムの一例は、第三世代パートナーシッププロジェクト(３ＧＰＰ)によって標準化されたアーキテクチャーである。最新の３ＧＰＰベースの進展は、ユニバーサル移動テレコミュニケーションズシステム（ＵＭＴＳ）無線アクセステクノロジーの長期進化（ＬＴＥ）としばしば称される。３ＧＰＰ  ＬＴＥ仕様の種々の進展段階は、リリースと称される。ＬＴＥのより最近の進展は、ＬＴＥアドバンスト（ＬＴＥ−Ａ）としばしば称される。ＬＴＥは、進化型ユニバーサル地上無線アクセスネットワーク（Ｅ−ＵＴＲＡＮ）として知られた移動アーキテクチャーを使用する。そのようなシステムのベースステーションは、進化型(evolved)又は改善型(enhanced)ノードＢ（ｅＮＢ）として知られており、通信装置に向かうユーザプレーン無線リンクコントロール／媒体アクセスコントロール／物理的レイヤプロトコル（ＲＬＣ／ＭＡＣ／ＰＨＹ）及びコントロールプレーン無線リソースコントロール（ＲＲＣ）プロトコルターミネーションのようなＥ−ＵＴＲＡＮ特徴を備えている。無線アクセスシステムの他の例は、ワイヤレスローカルエリアネットワーク（ＷＬＡＮ）及び／又はＷｉＭａｘ（マイクロ波アクセスの世界的運用性）のようなテクノロジーをベースとするシステムのベースステーションにより与えられるものを含む。
【００２４】
ワイヤレス通信を行うことのできる装置は、少なくとも１つのベースステーション又は同様のワイヤレス送信器及び／又は受信器ノードを経て通信することができる。図１において、ベースステーション１０は、種々の移動装置２０及びマシン状のターミナル２２にサービスするように示されている。ベースステーションは、典型的に、その動作を可能にすると共に、ベースステーションとの通信における移動通信装置の管理を可能にするために、少なくとも１つの適当なコントローラ装置によってコントロールされる。ベースステーションは、更に、より広い通信システム１２に接続することができる。多数のベースステーションにより形成される多数の隣接及び／又はオーバーラップするアクセスシステム又は無線サービスエリアも存在することを理解されたい。ベースステーションサイトは、１つ以上のセル又はセクタを与え、各セクタは、セル又はセルのサブエリアをなす。各装置及びベースステーションは、同時にオープンする１つ以上の無線チャンネルを有し、そして１つ以上のソースから信号を受信し及び／又は信号を送信する。複数の装置が同じワイヤレスリソースを使用できるときには、衝突及び／又は干渉を回避するためにその送信をスケジューリングする必要がある。
【００２５】
通信装置２０の概略部分断面図である図２を参照して、アップリンクで送信しダウンリンクで受信するための考えられる移動通信装置について詳細に説明する。そのような通信装置は、しばしばユーザ装置（ＵＥ）又はターミナルと称される。無線信号を送信し及び／又は受信することのできる装置により適当な通信装置が形成される。非限定例として、移動電話又は「スマートホン」として知られたもののような移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、或いはそれらの組み合わせ、等が含まれる。移動通信装置は、例えば、音声、電子メール（ｅ−メール）、テキストメッセージ、マルチメディア、等の通信を搬送するためのデータの通信を行う。従って、ユーザには、通信装置を経て多数のサービスがオファーされ提供される。それらサービスの非限定例は、両方向又は多方向コール、データ通信又はマルチメディアサービス、或いは単にインターネットのようなデータ通信ネットワークシステムへのアクセスを含む。コンテンツデータの非限定例は、ダウンロード、テレビ及びラジオ番組、ビデオ、広告、種々の警報、及び他の情報を含む。
【００２６】
装置２０は、適当な受信装置によってエアインターフェイスを経てダウンリンク２９の信号を受信し、そして適当な無線信号送信装置を経てアップリンク２８に信号を送信するように構成される。図２において、トランシーバ装置がブロック２６で概略的に示されている。トランシーバ装置２６は、例えば、無線部及びその関連アンテナ構成体により設けられる。アンテナ構成体は、移動装置の内部に構成されてもよいし又は外部に構成されてもよい。
【００２７】
又、移動通信装置には、ベースステーション及び／又は他の通信装置へのアクセス及びそれらとの通信をコントロールすることを含めて、実行するように設計されたタスクのソフトウェア及びハードウェア支援実行に使用するために、少なくとも１つのデータ処理エンティティ２１、少なくとも１つのメモリ２２、及び他の考えられるコンポーネント２３も設けられる。データ処理、ストレージ及び他の関連装置は、適当な回路板上及び／又はチップセット内に設けることができる。この装置は、参照番号２４で示されている。
【００２８】
ユーザは、キーパッド２５のような適当なユーザインターフェイス、ボイスコマンド、タッチ感知スクリーン又はパッド、その組み合わせ、等により移動装置の動作をコントロールすることができる。ディスプレイ２７、スピーカ及びマイクロホンも設けられる。更に、通信装置は、外部のアクセサリ、例えば、ハンズフリー装置を接続するために、他の装置への適当なコネクタ（ワイヤード又はワイヤレス）を含む。
【００２９】
図３は、例えば、ベースステーションに結合され及び／又はベースステーションをコントロールするための通信システムのコントロール装置３０の一例を示す。ある実施形態では、ベースステーションは、一体型コントロール装置を含み、そして他の実施形態では、コントロール装置は、個別のネットワーク要素により形成される。コントロール装置は、他のコントロールエンティティと相互接続される。コントロール装置及び機能は、複数のコントロールユニット間に分散される。ある実施形態では、各ベースステーションは、コントロール装置を含む。別の実施形態では、２つ以上のベースステーションがコントロール装置を共有する。コントロール装置の構成は、規格に基づくものであり、例えば、現在のＬＴＥ仕様によれば、個別の無線ネットワークコントローラは設けられない。位置に関わりなく、コントロール装置３０は、少なくとも１つのベースステーションのサービスエリアにおいて通信をコントロールするものとして理解される。コントロール装置３０は、以下に述べる実施形態ではアップリンクのスケジューリングに関連してコントロール機能を与えるように構成される。このため、コントロール装置は、少なくとも１つのメモリ３１、少なくとも１つのデータ処理ユニット３２、３３、及び入力／出力インターフェイス３４を備えている。インターフェイスを経て、コントロール装置は、ベースステーションに結合され、以下に述べる実施形態に従ってベースステーションを動作させることができる。コントロール装置は、コントロール機能を発揮するために適当なソフトウェアコードを実行するように構成される。
【００３０】
移動装置、マシン状ターミナル、又はベースステーションのようなワイヤレス通信装置には、多入力／多出力（ＭＩＭＯ）アンテナシステムを設けることができる。そのようなＭＩＭＯ構成は、既知である。ＭＩＭＯシステムは、リンクの質及び容量を改善するために進歩型デジタル信号処理と共に送信器及び受信器に複数のアンテナを使用する。例えば、図２のトランシーバ装置２６は、複数のアンテナポートを備えている。より多くのアンテナ素子があるところでは、より多くのデータを受信及び／又は送信することができる。
【００３１】
一実施形態によれば、アップリンクコントロールチャンネルリソースのための暗示的なインデックススキームが提供される。ユーザ装置にアップリンク（ＵＬ）インデックスを与える方法が図４のフローチャートに示されている。例えば、ｅＮＢのようなネットワーク要素により割り当てられる少なくとも１つのユーザ装置によるワイヤレス通信のためのリソースのダウンリンク（ＤＬ）指定が４０において受信される。従って、スケジュールされたダウンリンクリソースに関する情報が、この段階でユーザ装置の物理的ダウンリンクコントロールリソースを経て与えられる。規定のルールに従うアップリンクコントロールリソースのインデックスが４２において決定される。この決定は、物理的ダウンリンクリソースに関連したインデックスと、アップリンクコントロールリソースにマップされるべきダウンリンクリソースの量とを考慮して行われる。次いで、その決定されたリソースを経てＤＬ指定に関連したコントロールメッセージが４４において送信される。
【００３２】
一実施形態によれば、ダウンリンクインデックスは、改善型物理的ダウンリンクコントロールチャンネルによりスケジュールされた改善型物理的ダウンリンクコントロールチャンネル（ｅＰＤＣＣＨ）又は物理的ダウンリンク共有チャンネル（ＰＤＳＳＣ）に関連している。インデックスは、物理的ダウンリンクリソースブロックの最も低いインデックスである。可能性によれば、インデックスは、改善型コントロールチャンネルエレメントの最も低いインデックスを含む。コントロールメッセージは、決定された物理的アップリンクコントロールチャンネル（ＰＵＣＣＨ）リソースを経てのＰＤＳＣＨのＡＣＫ／ＮＡＣＫを含む。
【００３３】
４２において、衝突を回避するためにアップリンクコントロールリソースのインデックスを決定するのにオフセットが使用される。オフセットは、異なるＰＵＣＣＨフォーマット１／１ａ／１ｂリソース間をそのオフセットで動的にスイッチングできるようにするために使用される。従って、オフセットは、利用可能なリソースセットの中で適当なリソースを選択するのに使用される。
【００３４】
図５は、ネットワーク側の動作を示す。適当なコントローラ、例えば、ｅＮｏｄｅＢ（ｅＮＢ）は、どのリソースを経てコントロールメッセージを受信すべきか知るようにＵＬリソースを決定する。ｅＮｏｄｅＢは、例えば、５０において、ＤＬリソース、例えば、ｅＰＤＣＣＨ及びＰＤＣＨＳリソースを割り当てるときにこれを遂行する。次いで、５２において、ＤＬ指定が送信される。ネットワークエレメントは、規定のルールに従い５４においてコントロールメッセージを受信するように予想することができる。
【００３５】
一例によれば、改善型物理的ダウンリンクコントロールチャンネル（ｅＰＤＣＣＨ）を使用して物理的ダウンリンク共有チャンネル（ＰＤＳＣＨ）におけるダウンリンクデータをスケジュールするときに物理的アップリンクコントロールチャンネル（ＰＵＣＣＨ）においてＨＡＲＱリソースを割り当てることができる。ｅＰＤＣＣＨは、ＬＴＥの最近開発されたもので、コントロールチャンネル性能を改善するように設計されている。ｅＰＤＣＣＨは、拡張キャリアの使用を含めて、整合マルチポイント（ＣｏＭＰ）、ＤＬ  ＭＩＭＯ、異種ネットワーク（ＨｅｔＮｅｔ）、及びキャリアアグリゲーションのような構成に関して特に有用である。例えば、ｅＰＤＣＣＨは、コントロールチャンネル容量増加のためのサポート、周波数ドメインの干渉コントロール及び干渉整合（ＩＣＩＣ）のためのサポート、コントロールチャンネルリソースの改良型空間的再使用、ビーム成形及び／又はダイバーシティのためのサポート、新規キャリアタイプ及びマルチキャストブロードキャスト単一周波数ネットワーク（ＭＢＳＦＮ）サブフレームでの動作のためのサポート、レガシーユーザ装置と同じキャリアに共存するための能力、周波数選択的にスケジュールする能力、セル間干渉を軽減する能力、等を提供するのに使用される。
【００３６】
暗示的なマッピングルールにより、アップリンクコントロールリソースのインデックスは、当該ダウンリンクチャンネルのインデックスに基づいて導出することができる。このルールは、ダウンリンクに関連した当該コントロールメッセージをマップすべきところの厳密なＰＵＣＣＨリソースを考慮する必要がない。この実施形態によれば、多対１の暗示的インデックスを与え、そしてＭＵ−ＭＩＭＯのようなマルチユーザ構成の場合にはインデックスの衝突を回避することができる。ダウンリンクリソースブロックからアップリンクチャンネルへの多対１のマッピングを構成することができる。
【００３７】
ｅＰＤＣＣＨを使用して、ＰＤＳＣＨアップリンクコントロールチャンネル上のダウンリンクデータをスケジュールする実施形態では、受信したＰＤＳＣＨに応答してフィードバックメカニズムのためのリソースが与えられる。より詳細には、ＨＡＲＱ  ＡＣＫ／ＮＡＣＫの暗示的リソース割り当てをサポートするためのｅＰＤＣＣＨリソースのインデックスが与えられる。ｅＰＤＣＣＨを経てスケジュールされたＰＤＳＣＨに対応するＨＡＲＱ−ＡＣＫリソースに対して暗示的リソース割り当てルールが準備される。
【００３８】
以下の例では、次のように表わされる新規なアップリンクインデックスパラメータ
0006050386.tif 000002
が定義される。この規範的なインデックスパラメータは、ＰＵＣＣＨフォーマット１／１ａ／１ｂチャンネルに対応する。このパラメータ
0006050386.tif 000003
を決定するのに使用されるパラメータは、物理的なリソースブロック（ＰＲＢ）圧縮ファクタ（粒度）を含む。このパラメータは、ＤＬ  ＰＲＢ当りのＰＵＣＣＨリソースの数、即ちどれほど多くのＤＬ  ｅＰＤＣＣＨ又はＰＤＳＣＨ  ＰＲＢが単一のＰＵＣＣＨリソースにマップされるか、を定義するために使用される。物理的なリソースブロックが連続する。物理的なリソースブロック（ＰＲＢ）圧縮ファクタは、スケジュールされたＤＬリソース（ｅＰＤＣＣＨ又はＰＤＳＣＨ）と、ＨＡＲＱ−ＡＣＫ送信に使用されるＰＵＣＣＨリソースとの間の多対１マッピングを与え、そしてｅＰＤＣＣＨを経てスケジュールされたＰＤＳＣＨに予約されたＰＵＣＣＨリソースの数の調整を許す。
【００３９】
物理的なリソースブロックに代わって、ある数のＤＬリソースを、より少ない数のＵＬリソースにおいてマッピングすることによる圧縮も、例えば、改善型コントロールチャンネルエレメント（ｅＣＣＥ）に関して同様に行うことができる。
【００４０】
又、オフセットパラメータを使用して、ＰＵＣＣＨフォーマット１／１ａ／１ｂリソースドメインのための動的なオフセットを定義することもできる。このオフセットパラメータは、ＰＲＢ圧縮により生じる
0006050386.tif 000004
の衝突を回避するために複数のＰＵＣＣＨフォーマット１／１ａ／１ｂチャンネル間での動的なスイッチングを容易に行えるように使用される。これは、多対１マッピング、及び例えば、ＭＵ−ＭＩＭＯスケジューリングの場合に、特に言えることである。考えられるリソース割り当てスキームによれば、既存のパラメータ、即ちアンテナポートインジケータ及びスクランブルアイデンティティ（ｎＳＣＩＤ）は、オフセットを定義するためのパラメータとして使用される。可能性としては、ダウンリンクコントロール情報（ＤＣＩ）に指示される明確な値を使用してオフセットを定義してもよい。これは、アップリンクコントロールチャンネルドメインにおいて衝突を回避するために簡単なシフトを行う選択肢をｅＮＢに与える。オフセットを定義する上で、既存のパラメータ及び明確なオフセット指示を組み合わせて使用することもできる。
【００４１】
一例として、３ＧＰＰ技術仕様書（ＴＳ）３６．２１２のテーブル５．３．３．１．５Ｃ−１により定義されたＬＴＥのアンテナポート及びスクランブルアイデンティティ（ｎＳＣＩＤ）が図６のテーブル１に再現されている。
【００４２】
ＭＵ−ＭＩＭＯによる
0006050386.tif 000005
の衝突を回避する等のために既存のシグナリングを再使用することができる。ＭＵ−ＭＩＭＯスケジューリングのケースでは、ｅＮＢは、例えば、次のＭＵ−ＭＩＭＯペアリングを行うことができる。
・第１のＵＥ：１レイヤポート７、ｎｓｃｉｄ＝０
・第２のＵＬ：１レイヤポート８、ｎｓｃｉｄ＝１
【００４３】
図７のテーブル２は、ｅＮＢにより選択可能な最も低いアンテナポート及びスクランブルアイデンティティパラメータの異なる組み合わせにどのようにして異なるオフセットパラメータを与えるか示すものである。従って、既存のパラメータに基づいてオフセットを定義することにより異なるＰＵＣＣＨリソースが占有される。
【００４４】
物理的なダウンリンクリソースに関連したインデックスは、例えば、ｅＰＤＣＣＨ又はｅＰＤＣＣＨを経てスケジュールされたＰＤＳＣＨの最も低いＰＲＢインデックスを定義するパラメータである。
【００４５】
入力パラメータとＰＵＣＣＨフォーマット１ａ／１ｂチャンネルとの間の多対１マッピングに対して特定のマッピングルールを定義することができる。一例によれば、そのマッピングは、次のように定義される。
0006050386.tif 000006
但し、
0006050386.tif 000007
は、床演算である。
ＰＲＢ＿１stは、ｅＰＤＣＣＨを経てＰＤＳＣＨがスケジュールされたときに最も低いＰＤＳＣＨ又はｅＰＤＣＣＨ  ＰＲＢのインデックスである。
粒度は、単一のＰＵＣＣＨリソースへマップされるＤＬ  ＰＲＢの数を定義するパラメータである。
オフセットは、図７のテーブル２に従い最も低いアンテナポート及びスクランブルアイデンティティに依存するオフセットパラメータである。
【００４６】
物理的なリソースブロックではなく、他のリソース、例えば、改善型コントロールチャンネルエレメントがインデックスの基礎として使用されてもよい。
【００４７】
所与のリソースインデックス
0006050386.tif 000008
は、ＰＵＣＣＨフォーマット１／１ａ／ｂチャンネルの最終的インデックスを定義するために更なる数学演算を受けることに注意されたい。それらは、半静的オフセットの加算のような演算（これは、既存のＰＵＣＣＨフォーマット１／１ａ／ｂリソーススペース内でｅＰＤＣＣＨリソースをシフトするのを許す）、及びＤＣＩに含まれるＡＲＩ（ＡＣＫ／ＮＡＣＫリソースインデックス）のような更に別の動的変更子を含み、ｅＮＢが利用可能なＮ個のリソースから１つを選択できるようにする。
【００４８】
粒度は、構成可能なパラメータである。一実施形態によれば、粒度パラメータは、無線リソースコントロール（ＲＲＣ）シグナリングを経てセル特有の仕方で又はＵＥ特有の仕方で構成される。現在値［１、２、1/2、1/4、等］は、粒度パラメータとして適当であると考えられるが、他の値も考えられる。粒度パラメータは、２つの連続するＤＬ  ＰＲＢ（ｅＰＤＣＣＨ又はＰＤＳＣＨ）に基づいて導出されたＰＵＣＣＨリソースに関して間隔として理解することができる。粒度値＜１は、多対１マッピング（圧縮）を意味し、即ち多数のＤＬ  ＰＲＢが１つのＰＵＣＣＨリソースへマップされることを意味する。
【００４９】
図８のテーブル３Ａ及び３Ｂは、ＰＲＢ＿１st及びオフセットの関数として
0006050386.tif 000009
マッピングの２つの例を示す。第１の例のテーブル３Ａでは、粒度パラメータが1/4にセットされ、そして異なるＰＲＢ＿１st値のオフセットは、０から４まで変化する。その結果、アップリンクインデックス値が０から９となる。第２の例のテーブル３Ｂでは、粒度が２にセットされ、オフセットは、０から４まで変化する。この例では、アップリンクインデックスが０から５１まで変化する。
【００５０】
この実施形態は、ＰＵＣＣＨリソースの大きさを決めるためのスケーラブルな解決策を提供する。これを使用して、スケジューラの融通性とＰＵＣＣＨのオーバーヘッドとの間のトレードオフを許すことができる。アンテナポート及びスクランブルインジケータのような既存のパラメータは、ＭＵ−ＭＩＭＯシナリオを取り扱うのに使用される。特定の実施形態では、ｅＰＤＣＣＨスケジューリング（例えば、サーチスペース及びリンク適応）は、ＰＵＣＣＨリソース割り当てとは独立して維持することができる。これは、スケジューラの動作を簡単化することができる。又、レガシーユーザ装置及びｅＰＤＣＣＨイネーブルユーザ装置のＰＵＣＣＨ  ＨＡＲＱ  ＡＣＫ／ＮＡＣＫに対して同じＡ／Ｎリソースプールを使用できるという効果もある。
【００５１】
前記実施形態は、ＬＴＥに関連して説明したが、他の通信システム、又はＬＴＥに伴う更に別の進展に対して同様の原理を適用できることに注意されたい。又、ベースステーションに関連したコントロール装置により行われるスケジューリングではなく、少なくとも２つの装置間で２つの方向の送信をスケジューリングするための装置によってスケジューリングが行われてもよい。従って、前記実施形態は、アップリンク及びダウンリンクを参照して説明したが、それらの用語は、限定のためのものと理解してはならない。というのは、ベースステーションとユーザターミナル装置との間の方向によって本開示が制限されることがないからである。むしろ、本発明は、コントロール装置が２つ以上の通信エンティティ間の送信をスケジュールするいかなるシステムにも適用でき、スケジューリングエンティティは、リンクの「上」端にあると考えられる。例えば、これは、固定装置が設けられず、通信システムが、複数のユーザ装置により、例えば、アドホックネットワークで設けられる場合に言えることである。それ故、ある実施形態は、ワイヤレスネットワーク、テクノロジー及び規格のある規範的なアーキテクチャーを参照して一例として上述したが、それらの実施形態は、ここに図示して説明したものではなく、他の適当な形態の通信システムにも適用することができる。
【００５２】
ベースステーション装置、通信装置、及び他の適当な装置に必要なデータ処理装置及び機能は、１つ以上のデータプロセッサにより与えられる。各端におけるここに述べる機能は、個別のプロセッサにより与えられてもよいし、又は一体的なプロセッサにより与えられてもよい。データプロセッサは、ローカルの技術的環境に適したものであれば、いかなるタイプでもよく、非限定例として、汎用コンピュータ、特殊目的コンピュータ、マイクロプロセッサ、デジタル信号プロセッサ（ＤＳＰ）、特定用途向け集積回路（ＡＳＩＣ）、マルチコアプロセッサアーキテクチャーベースのゲートレベル回路及びプロセッサ、のうちの１つ以上を含む。データ処理は、多数のデータ処理モジュールにわたって分散されてもよい。データプロセッサは、例えば、少なくとも１つのチップによって形成されてもよい。又、適当なメモリ容量を当該装置に設けることもできる。メモリ（１つ又は複数）は、ローカルの技術的環境に適したものであれば、いかなるタイプでもよく、適当なデータストレージ技術、例えば、半導体ベースのメモリ装置、磁気メモリ装置及びシステム、光学的メモリ装置及びシステム、固定メモリ及び除去可能なメモリを使用して実施することができる。
【００５３】
一般的に、種々の実施形態は、ハードウェア又は特殊目的回路、ソフトウェア、ロジック又はその組み合わせで実施することができる。本発明のある態様は、ハードウェアで実施され、一方、他の態様は、コントローラ、マイクロプロセッサ又は他のコンピューティング装置により実行されるファームウェア又はソフトウェアで実施されるが、本発明は、それに限定されない。本発明の種々の態様は、ブロック図、フローチャートとして、又は他の絵画的表現を使用して、図示して説明することができるが、ここに述べるブロック、装置、システム、技術又は方法は、非限定例として、ハードウェア、ソフトウェア、ファームウェア、特殊目的回路又はロジック、汎用ハードウェア又はコントローラ或いは他のコンピューティング装置、又はその幾つかの組み合わせで実施されてもよいことを理解されたい。ソフトウェアは、メモリチップのような物理的媒体、又はプロセッサ内に実施されるメモリブロック、ハードディスク又はフロッピー（登録商標）ディスクのような磁気媒体、並びに例えば、ＤＶＤ及びそのデータ変形体、ＣＤのような光学的媒体に記憶される。
【００５４】
以上の説明は、本発明の規範的実施形態の完全且つ有益な説明の非限定例としてなされたものである。しかしながら、当業者であれば、以上の説明を添付図面及び特許請求の範囲と共に読んだときには種々の変更や適応が明らかとなろう。しかしながら、本発明の教示のそのような全ての同様の変更は、特許請求の範囲に規定された本発明の範囲内に包含される。実際に、上述した他の実施形態の１つ以上を組み合わせたものより成る更に別の実施形態も考えられる。
【符号の説明】
【００５５】
１０：ベースステーション
１２：通信システム
２０：移動装置
２１：データ処理エンティティ
２２：メモリ
２３：コンポーネント
２５：キーパッド
２６：トランシーバ装置
２７：ディスプレイ
２８：アップリンク
２９：ダウンリンク
３０：コントロール装置
３１：メモリ
３２、３３：データ処理ユニット
３４：入力／出力インターフェイス
【図１】
0006050386.tif 000010
【図２】
0006050386.tif 000011
【図３】
0006050386.tif 000012
【図４】
0006050386.tif 000013
【図５】
0006050386.tif 000014
【図６】
0006050386.tif 000015
【図７】
0006050386.tif 000016
【図８】
0006050386.tif 000017